(57)【要約】【課題】乗かご内の乗客が咳、くしゃみ、発熱を伴う感染症に感染しているかどうかを確実に検知できるエレベータの制御装置の提供。【解決手段】本発明は、乗かご１１内の乗客１０の画像を撮影する画像撮影部１と、この画像撮影部１の画像信号を画像解析し、その画像の乗客１０の体温を把握する画像解析部２と、乗かご１１内の音声を収集する音声記録部３と、この音声記録部３の音声信号を解析して乗客１０が咳もしくはくしゃみをしているか否かを解析する音声解析部４と、画像解析部２及び音声解析部４の解析結果に基づいて感染症に感染した乗客１０が存在することを検知する検知部５と、この検知部５で乗かご１１内に感染症に感染した乗客１０が存在すると検知されたとき、ホール呼びに優先してかご呼びの登録階へ乗かご１１を直行運転させる制御処理を行うエレベータ制御部６とを備えた構成にしてある。【選択図】図１
2012062163.tif 000002
【特許請求の範囲】
【請求項１】
乗かご内の乗客の健康状態を検知する検知部を有し、この検知部による検知に応じた制御を行うエレベータの制御装置において、
前記乗かご内に設置され乗客の画像を撮影する画像撮影部と、この画像撮影部の画像信号を画像解析し、その画像の乗客の体温を把握する画像解析部と、
前記乗かご内に設置され乗かご内の音声を収集する音声記録部と、この音声記録部の音声信号を解析して乗客が咳もしくはくしゃみをしているか否かを解析する音声解析部と、
前記画像解析部、及び前記音声解析部の解析結果と対応する判定基準データとを比較して、前記乗かご内に咳、くしゃみ、発熱を伴う感染症に感染した乗客が存在することを検知する検知部と、
前記検知部で前記乗かご内に咳、くしゃみ、発熱を伴う感染症に感染した乗客が存在すると検知されたとき、ホール呼びに優先してかご呼びの登録階へ前記乗かごを直行運転させる制御処理を行うエレベータ制御部とを備えたことを特徴とするエレベータの制御装置。
【請求項２】
請求項１に記載のエレベータの制御装置において、
前記乗かごに設置され、前記乗かご内の空気を前記乗かご外に放出する換気扇を備え、
前記エレベータ制御部は、前記検知部で前記乗かご内に咳、くしゃみ、発熱を伴う感染症に感染している乗客の存在が検知されたとき、前記換気扇の回転数を増大させる制御処理を行うことを特徴とするエレベータの制御装置。
【請求項３】
請求項１に記載のエレベータの制御装置において、
乗かご内、及び乗場に情報表示装置を備え、
前記エレベータ制御部は、前記情報表示装置の少なくとも一方に、前記検知部で、咳、くしゃみ、発熱を伴う感染症に感染している乗客の存在が検知されたとき、前記検知部の検知結果に関係する情報を表示させる制御処理を行うことを特徴とするエレベータの制御装置。
【請求項４】
請求項１に記載のエレベータの制御装置において、
前記エレベータ制御部は、前記直行運転後、前記かご呼びの登録階で所定時間開扉状態を保持する制御処理を行うことを特徴とするエレベータの制御装置。
【請求項５】
請求項１に記載のエレベータの制御装置において、
前記エレベータ制御部は、前記直行運転後、ホール呼びの無い階床へ走行させ、その階床で所定時間開扉状態を保持する制御処理を行うことを特徴とするエレベータの制御装置。
【発明の詳細な説明】
【技術分野】
【０００１】
本発明は、乗かご内の乗客の健康状態を監視することのできるエレベータの制御装置に関する。
【背景技術】
【０００２】
近年、新型インフルエンザなどの発熱、くしゃみ、咳等を伴う感染症の流行が社会的に問題視されている。このような感染症は、電車などの公共交通機関において、感染者が咳、くしゃみなどを行うことでウイルスを含んだ飛沫が飛散し、感染が拡大することがある。このようなことから、公共交通機関の一つであるエレベータにおいても感染症の拡大を防ぐ機能が要望されている。
【０００３】
ところで従来、乗かご内の乗客の健康状態を監視することのできるエレベータが特許文献１に開示されている。この従来技術は、かご内の圧電フィルムや操作パネルに設けた心拍センサ、温度センサによって乗客の心拍、呼吸、体温を検出し、乗客の健康状態の測定を行うものである。
【先行技術文献】
【特許文献】
【０００４】
【特許文献１】特開２００３−４０５４０号公報
【発明の概要】
【発明が解決しようとする課題】
【０００５】
前述した従来技術は、乗客の健康状態の測定に際し、例えば乗客の体温などを検知しようとする場合には、乗かご内の手すり等の棒状体に圧力検出装置、温度センサを内蔵させるようにしてある。そのため、手すりなどに乗客が触れていない場合には、体温を検知することができない。すなわち、この従来技術にあっては、乗かご内の乗客が咳、くしゃみ、発熱を伴う感染症に感染しているかどうかを検知する場合には、検知不能を生じる懸念がある。
【０００６】
なお、この従来技術は、乗客に対しての情報提供手段が音声アナウンスのみであることから、聴覚に障害を有する乗客の場合には、情報が正しく伝わらない虞もある。
【０００７】
本発明は、前述した従来技術における実状からなされたもので、その目的は、乗かご内の乗客が咳、くしゃみ、発熱を伴う感染症に感染しているかどうかを確実に検知できるエレベータの制御装置を提供することにある。
【課題を解決するための手段】
【０００８】
前記目的を達成するために、本発明に係るエレベータの制御装置は、乗かご内の乗客の健康状態を検知する検知部を有し、この検知部による検知に応じた制御を行うエレベータの制御装置において、前記乗かご内に設置され乗客の画像を撮影する画像撮影部と、この画像撮影部の画像信号を画像解析し、その画像の乗客の体温を把握する画像解析部と、前記乗かご内に設置され乗かご内の音声を収集する音声記録部と、この音声記録部の音声信号を解析して乗客が咳もしくはくしゃみをしているか否かを解析する音声解析部と、前記画像解析部、及び前記音声解析部の解析結果と対応する判定基準データとを比較して、前記乗かご内に咳、くしゃみ、発熱を伴う感染症に感染した乗客が存在することを検知する検知部と、前記検知部で前記乗かご内に咳、くしゃみ、発熱を伴う感染症に感染した乗客が存在すると検知されたとき、ホール呼びに優先してかご呼びの登録階へ前記乗かごを直行運転させる制御処理を行うエレベータ制御部とを備えたことを特徴としている。
【０００９】
このように構成した本発明は、画像撮影部と画像解析部とを備え、乗かご内の乗客一人一人の顔画像を撮影して解析を実施し、また、音声記録部と音声解析部とを備え、乗かご内の咳もしくはくしゃみによる音声を記録して音声データの音量、周波数を分析し、検知部で、乗かご内の乗客の発熱状態を把握してこの発熱データと判定基準データとを比較し、また、乗かご内の分析された音声データと判定基準データとを比較することで、乗かご内に咳、くしゃみ、発熱を伴う感染症に感染している乗客が存在するかどうかを検知部で検知することが行われる。すなわち本発明は、乗かご内の乗客が咳、くしゃみ、発熱を伴う感染症に感染しているかどうかを検知部において確実に検知することができる。また、この検知部で乗かご内に感染症に感染している乗客が存在することが検知されたとき、エレベータ制御部によって、かご呼びの登録階へ乗かごを直行運転させる制御が行われる。これにより、乗かご内の咳、くしゃみ、発熱を伴う感染症に感染した乗客と、感染症に感染していない乗客との接触を最小限に抑えることができる。
【００１０】
また本発明は、前記発明において、前記乗かごに設置され、前記乗かご内の空気を前記乗かご外に放出する換気扇を備え、前記エレベータ制御部は、前記検知部で前記乗かご内に咳、くしゃみ、発熱を伴う感染症に感染している乗客の存在が検知されたとき、前記換気扇の回転数を増大させる制御処理を行うことを特徴としている。このように構成した本発明は、換気扇の回転数を増大させることにより、乗かご内における咳やくしゃみにより発生し、空気中に漂う飛沫に含まれるウィルスを昇降路に放出させることができる。
【００１１】
また本発明は、前記発明において、乗かご内、及び乗場に情報表示装置を備え、前記エレベータ制御部は、前記情報表示装置の少なくとも一方に、前記検知部で、咳、くしゃみ、発熱を伴う感染症に感染している乗客の存在が検知されたとき、前記検知部の検知結果に関係する情報を表示させる制御処理を行うことを特徴としている。このように構成した本発明は、乗かご内の情報表示装置や乗場の情報表示装置に、咳、くしゃみ、発熱を伴う感染症に関係する情報を表示させることによって、乗かご内の乗客や乗場の乗客に咳、くしゃみ、発熱を伴う感染症に対する注意喚起を行うことができる。また、聴覚に障害を持つ乗客に対しても乗かご内の情報表示装置や乗場の情報表示装置によって、視覚的に咳、くしゃみ、発熱を伴う感染症に関係する情報を提供することができる。
【００１２】
また本発明は、前記発明において、前記エレベータ制御部は、前記直行運転後、前記かご呼びの登録階で所定時間開扉状態を保持する制御処理を行うことを特徴としている。このように構成した本発明は、乗かごがかご呼びの登録階に到着後、乗かご内を直ちに換気することができる。
【００１３】
また本発明は、前記発明において、前記エレベータ制御部は、前記直行運転後、ホール呼びの無い階床へ走行させ、その階床で所定時間開扉状態を保持する制御処理を行うことを特徴としている。このように構成した本発明は、乗かごがホール呼びの無い階床に到着後、乗かご内を直ちに換気することができる。
【発明の効果】
【００１４】
本発明は、乗かご内に設置され乗客の画像を撮影する画像撮影部と、この画像撮影部の画像信号を画像解析し、その画像の乗客の体温を把握する画像解析部と、乗かご内に設置され乗かご内の音声を収集する音声記録部と、この音声記録部の音声信号を解析して乗客が咳もしくはくしゃみをしているか否かを解析する音声解析部と、画像解析部、及び音声解析部の解析結果から、乗かご内に咳、くしゃみ、発熱を伴う感染症に感染した乗客が存在することを検知する検知部と、検知部で乗かご内に咳、くしゃみ、発熱を伴う感染症に感染した乗客が存在すると検知されたとき、ホール呼びに優先してかご呼びの登録階へ乗かごを直行運転させる制御処理を行うエレベータ制御部とを備えたことから、乗かご内の乗客が咳、くしゃみ、発熱を伴う感染症に感染しているかどうかを確実に検知部で検知できる。また、検知部で、乗かご内に咳、くしゃみ、発熱を伴う感染症に感染した乗客が存在すると検知されたときには、エレベータ制御部の制御により、乗かごはかご呼びの登録階へ直行運転する。これにより、乗かご内の咳、くしゃみ、発熱を伴う感染症に感染した乗客と、感染症に感染していない乗客との接触を最小限に抑えることができ、咳、くしゃみ、発熱を伴う感染症の拡大を防止することができる。
【図面の簡単な説明】
【００１５】
【図１】本発明に係るエレベータの制御装置の一実施形態の構成を示すブロック図である。
【図２】本実施形態に備えられる画像撮影部、音声記録部、及びかご内ディスプレイが配置される乗かごを示す斜視図である。
【図３】本実施形態に備えられる画像撮影部、音声記録部、及びかご内換気扇が配置される乗かごを示す斜視図である。
【図４】本実施形態に備えられるホール側ディスプレイが配置される乗場を示す正面図である。
【図５】本実施形態に備えられる画像撮影部、画像解析部、及び検知部における処理動作を示すフローチャートである。
【図６】本実施形態に備えられる音声記録部、音声解析部、及び検知部における処理動作を示すフローチャートである。
【図７】本実施形態に備えられるエレベータ制御部において行われる主な処理動作を示すフローチャートである。
【図８】本実施形態に備えられるエレベータ制御部において行われるかご内換気扇の運転制御に伴う処理動作を示すフローチャートである。
【図９】本実施形態に備えられるエレベータ制御部において行われる情報表示制御に伴う処理動作を示すフローチャートである。
【発明を実施するための形態】
【００１６】
以下、本発明に係るエレベータの制御装置の実施の形態を図に基づいて説明する。
【００１７】
図１は本発明に係るエレベータの制御装置の一実施形態の構成を示すブロック図、図２は本実施形態に備えられる画像撮影部、音声記録部、及びかご内ディスプレイが配置される乗かごを示す斜視図、図３は本実施形態に備えられる画像撮影部、音声記録部、及びかご内換気扇が配置される乗かごを示す斜視図、図４は本実施形態に備えられるホール側ディスプレイが配置される乗場を示す正面図である。
【００１８】
本実施形態に係るエレベータの制御装置は、図１に示すように、乗かご内に配置され、例えば赤外線カメラから成る画像撮影部１と、この画像撮影部１の画像信号を画像解析し、その画像の乗客の体温を把握する画像解析部２と、乗かご内に配置され、音声を収集する例えば集音マイクから成る音声記録部３と、この音声記録部の音声信号を解析して乗客が咳もしくはくしゃみをしているか否かを解析する音声解析部４とを備えている。また、画像解析部２及び音声解析部４の解析結果と、対応する判定基準データとを比較して、乗かご内に咳、くしゃみ、発熱を伴う感染症に感染した乗客が存在することを検知する検知部５とを備えている。
【００１９】
図２，３に示すように、乗かご１１は、操作盤１２と、この乗かご１１の位置を示す位置表示器１３と、乗かご１１内を照らすカーライト１４と、敷居１６によって案内されるかごドア１５と、乗かご１１の側壁を形成する側板１７と、乗かご１１内の荷重を検出する秤装置２１とを備えている。前述した画像撮影部１と音声記録部３は、位置表示器１３に対向するように配置された側板１７と天井部との境界部に配置してある。画像撮影部１は、かごドア１５の開動作によって乗かご１１に乗り込んでくる乗客１０の上半身よりも上の部分、特に顔面を撮影可能な撮像範囲Ａとなるように、設置角度等を調整して取り付けられている。また、音声記録部３は、乗かご１１内の乗客１０の咳やくしゃみを集音しやすい位置に取り付けてある。
【００２０】
また、本実施形態は、図３に示すように、乗かご１１に設置され、乗かご１１内の空気を昇降路等の乗かご１１外に放出するかご内換気扇７を備えている。また、図２に示すように、本実施形態は、乗かご１１内に情報表示装置、すなわちかご内ディスプレイ８を備えている。このかご内ディスプレイ８は、乗かご１１内の乗客１０が見やすい位置、例えば操作盤１２の上方に配置してある。さらに、本実施形態は、図４に示すように、乗場２０にも情報表示装置、すなわちホール側ディスプレイ９を配置してある。このホール側ディスプレイ９も、乗場２０の乗客１０が見やすい位置に、例えば乗場ドア１８の側方に配置されたホールボタン１９の上方に配置してある。
【００２１】
また、本実施形態は、図１に示すように、検知部５で乗かご１１内に咳、くしゃみ、発熱を伴う感染症に感染した乗客が存在すると検知されたとき、ホール呼びに優先して応答するかご呼びの登録階へ乗かご１１を直行運転させる制御処理を行うエレベータ制御部６を備えている。
【００２２】
このエレベータ制御部６は、前述した直行運転制御処理の他に、例えば検知部５で乗かご１１内に咳、くしゃみ、発熱を伴う感染症に感染している乗客１０の存在が検知されたとき、かご内換気扇７の回転数を増大させる制御処理を行う。また、このエレベータ制御部６は、かご内ディスプレイ８及びホール側ディスプレイ９の少なくとも一方に、例えば双方に、検知部５で咳、くしゃみ、発熱を伴う感染症に感染している乗客１０の存在が検知されたとき、検知部５の検知結果に関係する情報を表示させる制御処理を行う。
【００２３】
図５は本実施形態に備えられる画像撮影部、画像解析部、及び検知部における処理動作を示すフローチャートである。この図５に基づいて、乗かご１１内に乗り込んだ乗客１０が発熱しているかどうかの判定を行う本実施形態における動作について説明する。
【００２４】
乗かご１１が乗場２０に到着し、かごドア１５が開き、乗かご１１内に乗客１０が入る都度（手順ＳＣ１）、画像撮影部１が乗客１０の撮像範囲Ａに写った画像、例えば顔面像を撮影する（手順ＳＣ２）。
【００２５】
乗かご１１のかごドア１５が閉じられた際に、画像解析部２における画像処理が行われる。ここでは、撮影画象を例えばインフルエンザ等の感染症に感染した際の平均的な発熱温度、例えば３９度を閾値として白黒２値化を行う。具体的には、３９度以上の画像成分を白、３９度未満の画像データを黒というように２値化処理を実施する（手順ＳＣ３）。
【００２６】
画像解析部２において乗客１０の人数分の画像処理が行われ、検知部５は、画像処理データの中に白の画像成分が存在するかどうか、つまり３９度以上の発熱を生じているかどうか判定を行う（手順ＳＣ４）。３９度以上の発熱を生じている乗客１０が存在していると判定された場合には、インフルエンザなどの咳やくしゃみ、及び発熱を伴う感染症と判断し（手順ＳＣ５）、この検知部５からエレベータ制御部６に送信される（手順ＳＣ６）。なお、手順ＳＣ４における判定で、３９度以上の発熱を生じている乗客１０が存在していないと判定された場合には、画像解析部２における画像処理、及び検知部５における判定処理を停止し、乗客１０が再び乗かご１１に入ってくるまで待機することが行われる。
【００２７】
図６は本実施形態に備えられる音声記録部、音声解析部、及び検知部における処理動作を示すフローチャートである。この図６に基づいて、乗かご１１内に乗り込んだ乗客１０が咳やくしゃみを行っているかどうかの判定を行う本実施形態における動作について説明する。
【００２８】
乗かご１１のかごドア１５が閉じられた後（手順ＳＭ１）、乗かご１１内の音声情報の記録を音声記録部３が開始する（手順ＳＭ２）。乗かご１１内で咳やくしゃみが発生したかどうか、この音声記録部３で判定され（手順ＳＭ３）、咳やくしゃみが発生した場合には、その音声情報がこの音声記録部３で記録される（手順ＳＭ４）。
【００２９】
音声記録部３で所定時間記録がなされた後、記録された音声情報が音声解析部４において音量、周波数などのデータに分解され（手順ＳＭ５）、検知部５において、インフルエンザなどの感染症に感染した患者から採取した咳やくしゃみに基き予め設定された判定基準データと、音声解析部４で得られたデータとが比較される。この検知部５における音声解析部４で得られたデータが判定基準データを超えているかどうかの判定に際し（手順ＳＭ６）、音声解析部４で得られたデータが判定基準データを超えていると判定されたときには、乗かご１１内にインフルエンザなどの咳やくしゃみを伴う感染症の乗客が存在すると判断され（手順ＳＭ７）、この検知部５からエレベータ制御部６に送信される（手順ＳＭ８）。なお、手順ＳＭ６における検知部５の判定に際して、音声解析部４で得られたデータが判定基準データを超えていないと判定されたときには、手順ＳＭ４に戻り、乗客１０の音声情報の記録が続行される。
【００３０】
図７は本実施形態に備えられるエレベータ制御部において行われる主な処理動作を示すフローチャートである。
【００３１】
この図７に示すように、エレベータ制御部６は、検知部５からの信号、すなわち乗かご１１内に感染症の乗客１０が存在する旨の信号を受信した後（手順ＳＥＣ１）、かごドア１５が閉じられているかどうかの判定を行い（手順ＳＥＣ２）、かごドア１５が閉じられているときには、主に、かご内換気扇７の運転制御（ＳＥＣ３）と、かご内ディスプレイ８への情報表示制御（ＳＥＣ４）と、ホール側ディスプレイ９への情報表示制御（ＳＥＣ５）とを行う。
【００３２】
図８は本実施形態に備えられるエレベータ制御部において行われるかご内換気扇の運転制御に伴う処理動作を示すフローチャートである。
【００３３】
かご内換気扇７の運転制御に際しては、図８に示すように、検知部５の信号を受信したエレベータ制御部６は、まず、かご内換気扇７を起動させる制御処理を行う（手順ＳＦ１）。ここで、エレベータ制御部６は、乗かご１１内に乗客１０が存在しないかどうか秤装置２１からの信号に基づいて判定する（手順ＳＦ２）。この判定で、乗かご１１内に乗客１０が存在すると判定されたときには、起動させたかご内換気扇７の回転数を増加させる制御処理を行う（手順ＳＦ３）。これにより乗かご１１内のインフルエンザなどの感染症ウイルスを含む空気が、かご内換気扇７から昇降路に放出される。
【００３４】
手順ＳＦ２の判定で、乗かご１１内に乗客１０が存在しなくなったと判定されたときには、このエレベータ制御部６は、ホール呼び登録が有るかどうか判定する。（手順ＳＦ４）。ホール呼び登録が有ると判定されたときには、かご内換気扇７の回転数の増加を維持させた状態でホール呼び登録階へ乗かご１１を走行させる制御処理を行う（手順ＳＦ５）。手順ＳＦ４の判定で、ホール呼び登録が無いと判定されたときには、このエレベータ制御部６は、かご内換気扇７の回転数の増加を維持させた状態で（手順ＳＦ６）、乗かご１１を基準階へ直行させ、この基準階において乗かご１１を開扉状態のまま待機させる制御処理を行う（手順ＳＦ７）。
【００３５】
図９は本実施形態に備えられるエレベータ制御部において行われる情報表示制御に伴う処理動作を示すフローチャートである。
【００３６】
また、エレベータ制御部６は、検知部５からの信号を受信した際に、図９に示すように、秤装置２１からの信号に基づいて乗かご１１内に乗客１０が存在しているかどうか判定するとともに（手順ＳＤ１）、検知部５の検知結果に関係する情報をかご内ディスプレイ８及びホール側ディスプレイ９に表示させる制御処理を行う。例えば、ホール側ディスプレイ９に、感染症対応エレベータであることを表示させる制御処理を行い（手順ＳＤ２）、かご内ディスプレイ８に、感染症の注意喚起情報を表示させる制御処理を行う（手順ＳＤ３）。
【００３７】
エレベータ制御部６は、手順ＳＤ１の判定で、乗かご１１内に乗客１０が存在していると判定されたときには、途中階でのホール呼びに応答させず、かご呼び登録階へ乗かご１１を優先的に直行運転させる制御処理を行う（ＳＤ４）。
【００３８】
ここで、エレベータ制御部６は、再び、秤装置２１からの信号に基づいて乗かご１１内に乗客１０が存在しているかどうか判定する（手順ＳＤ５）。この判定で乗かご１１内に乗客１０が存在すると判定されたときには、手順ＳＤ４の直行運転が継続される。
【００３９】
手順ＳＤ１の判定、及び手順ＳＤ５の判定で、乗かご１１内に乗客１０が存在しなくなったと判定されたときには、このエレベータ制御部６は、乗かご１１の運転制御モードを、感染症対応階と基準階との直行運転のみに限定する感染症対応専用運転モードに切り替える制御処理を行う（手順ＳＤ６）。
【００４０】
なお、エレベータ制御部６は、検知部５からの信号を受信した際に、かご内ディスプレイ８やホール側ディスプレイ９に、該当する乗かご１１がホール呼び登録に応答せず、かご呼び登録階へ直行運転する旨を表示させる制御処理を行ったり、かご呼び登録されている階床の乗場２０に設けられたホール側ディスプレイ９に、当該階床に体調異常の乗客１０を乗せた乗かご１１が向かっている旨を表示させる制御処理を行ってもよい。
【００４１】
以上のように構成した本実施形態によれば、画像撮影部１と画像解析部２とを備え、乗かご１１内の乗客１０の一人一人の顔画像を撮影して解析を実施し、また、音声記録部３と音声解析部４とを備え、乗かご１１内の咳もしくはくしゃみによる音声を記録して音声データの音量、周波数を分析し、検知部５で、乗かご１１内の乗客の発熱状態を把握してこの発熱データと判断基準データとを比較し、また、乗かご１１内の分析された音声データと判定基準データと比較することで、乗かご１１内に咳、くしゃみ、発熱を伴う感染症に感染している乗客１０が存在するかどうかを検知することが行われる。すなわち本実施形態は、乗かご１１内の乗客１０が咳、くしゃみ、発熱を伴う感染症に感染しているかどうかを検知部５において確実に検知することができる。また、この検知部５で乗かご１１内に感染症に感染している乗客１０が存在することが検知されたとき、エレベータ制御部６によって、かご呼びの登録階へ乗かご１１を直行運転させる制御が行われる。これにより、乗かご１１内の咳、くしゃみ、発熱を伴う感染症に感染した乗客１０と、感染症に感染していない乗客１０との接触を最小限に抑えることができ、咳、くしゃみ、発熱を伴う感染症の拡大を防止することができる。
【００４２】
また本実施形態によれば、検知部５で乗かご１１内に咳、くしゃみ、発熱を伴う感染症に感染している乗客１０の存在が検知されたとき、エレベータ制御部６によってかご内換気扇７の回転数を増大させることにより、乗かご１１内における咳やくしゃみにより発生し、空気中に漂う飛沫に含まれるウィルスを昇降路に放出させることができる。これにより咳、くしゃみ、発熱を伴う感染症の拡大の阻止に貢献する。
【００４３】
また本実施形態によれば、乗かご１１のかご内ディスプレイ８や乗場２０のホール側ディスプレイ９に、乗かご１１内に咳、くしゃみ、発熱を伴う感染症に関係する情報を表示させることによって、乗かご１１内の乗客１０や乗場２０の乗客１０に咳、くしゃみ、発熱を伴う感染症に対する注意喚起を行うことができる。また、聴覚に障害を持つ乗客１０に対しても乗かご１１のかご内ディスプレイ８や乗場２０のホール側ディスプレイ９によって、視覚的に咳、くしゃみ、発熱を伴う感染症に関係する情報を提供することができ、乗客１０に対するサービス性を向上させることができる。
【００４４】
なお、前述した実施形態にあっては、エレベータ制御部６は、検知部５によって乗かご１１内に感染症の乗客が検知された場合に、途中階でのホール呼びに応答させず、かご呼び登録階へ乗かご１１を優先的に直行運転させる制御処理を行うものであるが、このエレベータ制御部６によって、直行運転によってかご呼び登録階に乗かご１１が到着した際に、さらに、そのかご呼び登録階で所定時間開扉状態を保持する制御を行わせるようにしてもよい。このように制御処理するものでは、乗かご１１がかご呼び登録階に到着後、乗かご１１内をかご呼び登録階の乗場２０との間で直ちに換気することができ、これにより咳、くしゃみ、発熱を伴う感染症の拡大の阻止に貢献する。
【００４５】
また、前述した直行運転後に、エレベータ制御部６によって、ホール呼びの無い階床へ乗かご１１を走行させ、その階床で所定時間開扉状態を保持する制御を行わせるようにしてもよい。このように制御処理するものも、乗かご１１が該当する階床に到着後、乗かご１１内をホール呼びの無い階床の乗場２０との間で直ちに換気することができ、これにより咳、くしゃみ、発熱を伴う感染症の拡大の阻止に貢献する。
【符号の説明】
【００４６】
１    画像撮影部
２    画像解析部
３    音声記録部
４    音声解析部
５    検知部
６    エレベータ制御部
７    かご内換気扇
８    かご内ディスプレイ（情報表示装置）
９    ホール側ディスプレイ（情報表示装置）
１０    乗客
１１    乗かご
２０    乗場
２１    秤装置
Ａ      撮像範囲
【図１】
2012062163.tif 000003
【図２】
2012062163.tif 000004
【図３】
2012062163.tif 000005
【図４】
2012062163.tif 000006
【図５】
2012062163.tif 000007
【図６】
2012062163.tif 000008
【図７】
2012062163.tif 000009
【図８】
2012062163.tif 000010
【図９】
2012062163.tif 000011